(57)【要約】【課題】デザインが単調に陥ることがなく、複雑なカーボン繊維パターンの設計および製作を、簡単かつローコストにて実現可能にする。【解決手段】文字板生地層９と、表示用印刷層１０と、背景用印刷層１１と、クリア印刷層１２と、を備え、クリア印刷層１２は、互いに略平行に配設された複数本の線状体を一組とする線状部を有する。【選択図】図１
2010271052.tif 000002
【特許請求の範囲】
【請求項１】
光透過性を有する文字板生地層と、
前記文字板生地層の表面に配置された、前記文字板生地層を透過した光のうちの特定の波長の光を通過させる表示用印刷層と、
前記表示用印刷層が配置された箇所を除く箇所において前記文字板生地層の表面に配置された、遮光性を有する背景用印刷層と、
前記背景用印刷層の表面に配置された、光透過性を有するクリア印刷層と、
を備え、
前記クリア印刷層は、互いに略平行に配設された複数本の線状体を一組とする線状部を有する
ことを特徴とする計器用文字板。
【請求項２】
前記クリア印刷層は、前記線状部を少なくとも二つ有し、それらの前記線状部は、各々の前記線状体の長手方向の向きが交差し、且つ互いに隣接した状態で、前記背景用印刷層の表面に配置される、
ことを特徴とする請求項１に記載の計器用文字板。
【請求項３】
複数の前記線状部は、各々の前記線状体の長手方向の向きが直交するよう、前記背景用印刷層の表面に配置される、
ことを特徴とする請求項２に記載の計器用文字板。
【請求項４】
複数の前記線状部は、一つの前記線状部に隣接する他の前記線状部の前記線状体の向きが一つの前記線状部の前記線状体の向きとは各々異なるよう、前記背面用印刷層の表面に配置される、
ことを特徴とする請求項２に記載の計器用文字板。
【請求項５】
複数の前記線状部は、一つの前記線状部に隣接する他の前記線状部の前記線状体の向きが一つの前記線状部の前記線状体の向きとは各々直交するよう、前記背面用印刷層の表面に配置される、
ことを特徴とする請求項４に記載の計器用文字板。
【請求項６】
複数の前記線状部は、一つの前記線状部に対して、該線状部の前記線状体の長手方向の前後および該長手方向に直交する直交方向の前後の四方に四つの前記線状部が隣接するよう、前記背景用印刷層の表面に配置される
ことを特徴とする請求項５に記載の計器用文字板。
【発明の詳細な説明】
【技術分野】
【０００１】
本発明は、自動車のダッシュボード等に設置される速度計、回転計、燃料計などの計器に用いられる、速度、エンジン回転数、または燃料残量を表示するための計器用文字板に関するものである。
【背景技術】
【０００２】
自動車のダッシュボードには、速度計、回転計、燃料計等の計器が設置され、運転者はその計器の文字板上で指針が指示する目盛や数字、あるいは文字を読み取ることで、現在の自動車の運転状況を把握または確認することができる。
【０００３】
図５は、従来の計器の一例を示す正面図であり、図６は、図５の計器用文字板の断面図である。図５、図６では、回転計を一例として示している。この回転計は、表示枠１内に文字板２を有し、この文字板２には目盛（回転数目盛）３、数字（回転数）４、背景５および模様６を同心配置状態にて表示されている。この文字板２の中心部には、前記目盛３を指標する指針７の回転軸（図示しない）が貫通支持されている。また、表示枠１には、これらの文字板２および指針７を上方から覆う透明のガラス板や合成樹脂板などからなる透明カバー８が装着されている。
【０００４】
また、前記文字板２は、図６に示すように、文字板生地層（基板）９の表面に目盛３や数字４などの形状に印刷された表示用印刷層１０と、この表示用印刷層１０が印刷された箇所を除き、前記文字板生地層９の略全表面に印刷された背景用印刷層１１とが設けられている（なお、図６では、の表示用印刷層１０の一部にも、背景用印刷層１１が印刷されている。）。このような文字板２では、目盛３、数字４、文字（図示しない）などの表示用印刷層１０は、黒色または暗色系の背景用印刷層１１によって周囲が囲まれている。また、表示用印刷層１０は、文字板２の後方に位置する光源（図示せず）から発せられた、該文字板２を透過した光に対するカラーフィルタの機能を果たし、該文字板２を透過した光のうちの特定の波長の光を透過させる。
【０００５】
一方、時計や各種機器の分野において、これらに高級感を付与するため、カーボン繊維に類似したカーボン繊維パターンをその時計や各種機器の文字板に施したものがある（例えば、特許文献１参照）。この文字板は、文字板生地層の仕上げ層上にメッキ被覆層を設け、このメッキ被覆層の表面に平織りのカーボン繊維パターンに見せかけたカーボンパターン層を印刷することにより、形成されている。
【先行技術文献】
【特許文献】
【０００６】
【特許文献１】特開２００３−１１３４９３号公報
【発明の概要】
【発明が解決しようとする課題】
【０００７】
しかしながら、従来のカーボン繊維パターンに見せかけたカーボンパターン層にあっては、繊細で複雑なカーボン繊維パターンの設計および製作に多大な時間と費用が掛かる。このため、上記カーボンパターン層を安価にて実現しようとすると、概して、色の濃淡の変化の乏しいものになってしまうという不都合があった。
【０００８】
本発明は、上述した事情に鑑みてなされたものであり、その目的は、デザインが単調に陥ることがなく、且つ色の濃淡の変化豊かなカーボン繊維パターンを、簡単にかつローコストに実施できる計器用文字板を提供することにある。
【課題を解決するための手段】
【０００９】
前述した目的を達成するために、本発明に係る計器用文字板は、下記（１）〜（６）を特徴としている。
（１）  光透過性を有する文字板生地層と、
前記文字板生地層の表面に配置された、前記文字板生地層を透過した光のうちの特定の波長の光を通過させる表示用印刷層と、
前記表示用印刷層が配置された箇所を除く箇所において前記文字板生地層の表面に配置された、遮光性を有する背景用印刷層と、
前記背景用印刷層の表面に配置された、光透過性を有するクリア印刷層と、
を備え、
前記クリア印刷層は、互いに略平行に配設された複数本の線状体を一組とする線状部を有する
こと。
（２）  上記（１）の構成の計器用文字板であって、
前記クリア印刷層は、前記線状部を少なくとも二つ有し、それらの前記線状部は、各々の前記線状体の長手方向の向きが交差し、且つ互いに隣接した状態で、前記背景用印刷層の表面に配置される、
こと。  
（３）  上記（２）の構成の計器用文字板であって、
複数の前記線状部は、各々の前記線状体の長手方向の向きが直交するよう、前記背景用印刷層の表面に配置される、
こと。
（４）  上記（２）の構成の計器用文字板であって、
複数の前記線状部は、一つの前記線状部に隣接する他の前記線状部の前記線状体の向きが一つの前記線状部の前記線状体の向きとは各々異なるよう、前記背面用印刷層の表面に配置される、
こと。
（５）  上記（４）の構成の計器用文字板であって、
複数の前記線状部は、一つの前記線状部に隣接する他の前記線状部の前記線状体の向きが一つの前記線状部の前記線状体の向きとは各々直交するよう、前記背面用印刷層の表面に配置される、
こと。  
（６）  上記（５）の構成の計器用文字板であって、
複数の前記線状部は、一つの前記線状部に対して、該線状部の前記線状体の長手方向の前後および該長手方向に直交する直交方向の前後の四方に四つの前記線状部が隣接するよう、前記背景用印刷層の表面に配置される
こと。
【００１０】
上記（１）の構成の計器用文字板によれば、クリア印刷層のパターンの存在によって、このパターンを形成する線状体と、その線状体間に見える地色の部分（背景用印刷層の一部分）と、クリア印刷層の下面に位置する部分（背景用印刷層の一部分）とでは、光の反射量および屈折量が異なることになり、各線状体に入射した光の反射波に位相の違いが発生し、光の干渉によるカーボン繊維パターンに類似するパターンの模様が表出される。従って、この模様を仮想的なカーボン繊維として看取することができる。
また、上記（１）の構成の計器用文字板によれば、ストライプ模様のカーボン繊維パターンに類似したデザインを表出させることができる。
上記（２）、（３）、（４）、（５）、（６）の構成の計器用文字板によれば、格子模様（市松模様）のカーボン繊維パターンに類似したデザインを表出させることができる。
【発明の効果】
【００１１】
本発明によれば、デザインが単調に陥ることがなく、且つ色の濃淡の変化豊かなカーボン繊維パターンを、簡単にかつローコストに実施できる。
【００１２】
以上、本発明について簡潔に説明した。更に、以下に説明される発明を実施するための形態を添付の図面を参照して通読することにより、本発明の詳細は更に明確化されるであろう。
【図面の簡単な説明】
【００１３】
【図１】本発明に係る実施形態の計器用文字板の一部を縦断面図である。
【図２】図１におけるクリア印刷層の印刷パターンを示す要部の正面図である。
【図３】図２におけるクリア印刷層の印刷パターンの一部を拡大して示す斜視図である。
【図４】図３おける計器用文字板の見え方を示す正面図である。
【図５】従来の計器用文字板を示す正面図である。
【図６】図５における計器用文字板の一部を破断して示す縦断面図である。
【発明を実施するための形態】
【００１４】
以下、本発明の実施形態に係る計器用文字板を、図面を参照して説明する。図１は、その計器用文字板の一部の縦断面図、図２は、クリア印刷層の印刷パターンの正面図、図３は、その印刷パターンの一部を拡大して示す拡大斜視図、図４は、その計器用文字板表面の一部を拡大した正面図である。なお、図５および図６に示したものと同一の構成部分には同一符号を付す。
【００１５】
まず、符号１５は図５に示した文字板２と略同様の文字板を示し、この文字板１５は、アクリル樹脂、ポリカーボネート樹脂などの光透過性をもつ合成樹脂板によって形成される文字板生地層９を有する。自動車のダッシュボードに計器が取り付けられた際、この文字板生地層９の後方には光源が位置し、その光源から発せられた光が文字板生地層９の後面に入射する。なお、文字板生地層９の後方に光源が位置しない場合には、文字板生地層９の後面に照明光を導く導光体を配置してもよい。
【００１６】
また、文字板生地層９の表面には前述の目盛３や数字４などの形状を表す表示用印刷層１０が設けられている。この表示用印刷層１０は、着色インクまたは塗料などがスクリーン印刷などによって所定厚さに形成されていることにより、カラーフィルタの機能を果たす。ここで印刷される目盛３や数字４、あるいは文字などには所定のデザイン、例えば模様や色彩を付与することは任意である。上述した文字板生地層９を透過した光は、表示用印刷層１０の後面に入射するが、このとき、表示用印刷層１０は、該文字板生地層９を透過した光のうちの特定の波長の光を透過させ、該表示用印刷層１０の前面から出射される。  
【００１７】
また、文字板生地層９の表面のうちの表示用印刷層１０が設けられていない箇所には、黒色や灰色などの暗色系の色を地色とする遮光性の背景用印刷層１１が一面に施されている。この背景用印刷層１１としては、例えば、光反射性塗料のコーティング層を用いることができる。この場合には、背景用印刷層１１からは目盛３、数字４、文字などの表示用印刷層１０による表示とは異なる色相の光を反射させることができる。上述した文字板生地層９を透過した光は、背景用印刷層１１の後面に入射するが、このとき、背景用印刷層１１は、該表示用印刷層１０の前面への光伝搬を遮断する。なお、背景用印刷層１１は、表示用印刷層１０の端部の表面にも設けられている。
【００１８】
さらに、背景用印刷層１１の上面には、クリア印刷層１２が設けられている。クリア印刷層１２は、図２、図３に示すように、互いに略平行に配設された複数本の線状体１２ａを一組とする線状部Ａ、同じく互いに略平行に配設された複数本の線状体１２ｂを一組とする線状部Ｂによって、形成される。図２、図３では、５本ずつの長目の線状体１２ａによって構成される組を線状部Ａ、５本ずつの短目の線状体１２ｂによって構成される組を線状部Ｂ、としている。線状体１２ｂの長手方向の長さは、５本の線状体１２ａによって構成される線状部Ａの幅に略一致する。
【００１９】
また、各線状部Ａ、Ｂの線状体１２ａ、１２ｂのうち中央にある１本は直線状をなし、この中央にある１本を挟む両側の２本ずつの線状体１２ａ、１２ｂはそれぞれ円弧状をなすとともに、線対称配置されている。
【００２０】
線状部Ａおよび線状部Ｂは、それぞれの線状体１２ａ、１２ｂの長手方向の向きが直交するよう、背景用印刷層１１の表面に隣接して配置される。図２では、合計四つの線状部が並んだ状態を示しているが、一つの線状部Ａに対して、該線状部Ａの線状体１２ａの長手方向の前後および該長手方向に直交する直交方向の前後の四方に四つの線状部Ｂが隣接するよう、背景用印刷層１１の表面に配置される（一つの線状部Ｂに対しては、上述の四方に四つの線状部Ｂが隣接する。）。
【００２１】
なお、図２、図３では、線状部Ａ、Ｂを構成する線状体１２ａ、１２ｂの長さに違いを持たせたが、この長さの違いは本発明に必須のものではない。同一の長さであっても構わない。同一の長さであれば、均一な市松形状のカーボン繊維パターンを表出することができる。
【００２２】
このようなクリア印刷層に対し、図３の矢印で示すように本発明の計器正面から光Ｌが入射すると、同一方向から同一強度の光Ｌが入射した場合でも、各線状体１２ａ、１２ｂで反射および屈折された反射光の進行方向は一定でなくなる。そして、これらの反射光が入射光と干渉する現象に加え、各線状体１２ａ、１２ｂごとの表面で反射した反射光どうしが干渉する現象によって光の明暗が生じる。従って、本実施形態では、カーボン繊維パターンに類似した質感のパターンが、市松模様状に表示可能となる。
【００２３】
図４には、図２および図３に示したクリア印刷層によって得られたカーボン繊維パターンＰの一部を拡大して示す。クリア印刷層１２によって看取されるカーボン繊維パターンＰは、市松模様となる。この市松模様にはカーボン繊維が編組されたかのような濃淡模様が現れ、且つ、看取する方向によってその濃淡は様々に変化し質感の異なったカーボン繊維パターンを表現することができる。
【００２４】
各線状体１２ａ、１２ｂの層の厚さ、長さ、幅、または、線状体１２ａ、１２ｂの形状（直線、湾曲）、配置、さらには、線状部Ａ、Ｂの並び方などを様々に調整することで、本発明の計器によって表現されるカーボン繊維パターンの質感をさらに実物のカーボン繊維に近いレベルに高めることができる。
【００２５】
なお、線状体１２ａ、１２ｂが直交するように線状部Ａ、Ｂを交互に配置した場合には、市松状に編み込んだカーボン繊維に類似するパターンとして表出させ、それぞれ看取することができるが、線状部Ａ、Ｂの線状体１２ａ、１２ｂを共に同一方向に配置した場合には、ストライプ状のカーボン繊維に類似するパターンとして表出させることができる。
【００２６】
また、ウオーニング表示部を設けてウオーニング表示をする場合には、一時的に点灯する範囲が通常ブラックアウトしているケースが多いが、空いたスペースに模様を付けることも可能で、デザインに自由度を持たせることができる。
【００２７】
以上、本発明の実施形態に係る計器用文字板によれば、複数の線状体１２ａ、１２ｂから構成されるクリア印刷層１２を背景用印刷層１１の表面に配置することによって、その線状体１２ａ、１２ｂに入射した光の反射、屈折による明暗の差が生じする。この結果、計器用文字板を視認する運転手には、計器上にカーボン繊維パターンが再現されているかのように見える。
【００２８】
また、各線状体１２ａ、１２ｂの層の厚さ、長さ、幅、または、線状体１２ａ、１２ｂの形状（直線、湾曲）、配置、さらには、線状部Ａ、Ｂの並び方などを様々に調整することで、本発明の計器によって表現されるカーボン繊維パターンの質感をさらに実物のカーボン繊維に近いレベルに高めることができる。
【００２９】
また、線状体１２ａ、１２ｂが直交するように線状部Ａ、Ｂを交互に配置した場合には、市松状に編み込んだカーボン繊維に類似するパターンに、線状部Ａ、Ｂの線状体１２ａ、１２ｂを共に同一方向に配置した場合には、ストライプ状のカーボン繊維に類似するパターンとして表出させることができる。
【符号の説明】
【００３０】
１  表示枠
２  速度目盛
３  数値
４  模様
５  背景
６  文字板
７  指針
８、９  文字板生地層
１０  表示用印刷層
１１  背景用印刷層
１２  クリア印刷層
１５  文字板  
【図１】
2010271052.tif 000003
【図２】
2010271052.tif 000004
【図３】
2010271052.tif 000005
【図４】
2010271052.tif 000006
【図５】
2010271052.tif 000007
【図６】
2010271052.tif 000008